(57)【要約】      （修正有）【課題】ＭＦＰからメールを送信するシーンにおいて、メールの返信先にモバイル端末に登録されているメールアドレスを設定したい場合、ユーザはモバイル端末に表示されるメールアドレスを見ながら、ＭＦＰの操作部を介して返信先の設定を行う必要がない情報処理装置、情報処理装置の制御方法を提供する。【解決手段】ＭＦＰで実行されるメール送信処理の送信設定を示す送信設定情報をモバイル端末から受信する処理において、送信設定として返信先のメールアドレスを含む情報をＭＦＰが受信する。そして、ＭＦＰは、送信設定に含まれる返信先のメールアドレスを、メール送信処理の返信先に設定する。【選択図】図７
2017108338.tif 000002
【特許請求の範囲】
【請求項１】
モバイル端末と連携する情報処理装置であって、
返信先のメールアドレスを含む、前記情報処理装置で実行されるメール送信処理の送信設定を示す送信設定情報を前記モバイル端末から受信する受信手段と、
前記送信設定に含まれる前記返信先のメールアドレスを、前記メール送信処理の返信先に設定する設定手段と、
を有することを特徴とする情報処理装置。
【請求項２】
前記送信設定は、前記返信先のメールアドレスのほかに、宛先のメールアドレス、メールの本文、メールの件名、添付ファイルのファイル名の少なくとも１つの項目を含み、
前記設定手段は、前記送信設定に含まれる項目を前記メール送信処理で用いる項目として設定することを特徴とする請求項１に記載の情報処理装置。
【請求項３】
前記情報処理装置は、原稿を読み取る読み取り手段をさらに有し、
前記メール送信処理は、前記原稿を前記読み取り手段で読み取ることで得られた原稿画像をメールに添付して送信する処理であることを特徴とする請求項１または２に記載の情報処理装置。
【請求項４】
メールの送信設定の各項目の入力をＵＩ画面を通じて行なうインターフェイス手段をさらに有し、
前記設定手段は、前記インターフェイス手段において返信先のメールアドレスの項目に入力がされた場合、前記設定手段で設定された前記返信先のメールアドレスを前記インターフェイス手段で入力されたメールアドレスに変更することを特徴とする請求項１から３のいずれか一項に記載の情報処理装置。
【請求項５】
メールの送信設定の各項目の入力をＵＩ画面を通じて行なうインターフェイス手段をさらに有し、
前記設定手段は、前記インターフェイス手段において返信先のメールアドレスの項目に入力がされた後に前記受信手段で前記送信設定情報を受信した場合、前記インターフェイス手段で入力された返信先のメールアドレスを、前記送信設定に含まれる返信先のメールアドレスに変更することを特徴とする請求項１から３のいずれか一項に記載の情報処理装置。
【請求項６】
前記受信手段は、無線通信によって前記メールの送信設定を前記モバイル端末から受信し、
前記情報処理装置は、前記モバイル端末との無線通信に必要な情報を提供する提供手段をさらに有することを特徴とする請求項１から５のいずれか一項に記載の情報処理装置。
【請求項７】
情報処理装置で実行されるメール送信処理の送信設定を示す送信設定情報を送信するモバイル端末であって、
前記情報処理装置で実行されるメール送信処理において返信先として用いられるメールアドレスを決定する決定手段と、
前記決定手段で決定されたメールアドレスを返信先として用いられるメールアドレスとして前記送信設定情報に含めて送信する送信手段と
を有することを特徴とするモバイル端末。
【請求項８】
前記送信手段は、前記返信先のメールアドレスのほかに、宛先のメールアドレス、メールの本文、メールの件名、添付ファイルのファイル名の少なくとも１つの項目を含む送信設定情報を送信することを特徴とする請求項７に記載のモバイル端末。
【請求項９】
前記決定手段は、前記モバイル端末に登録されているユーザのメールアドレスを、前記返信先として用いられるメールアドレスとして決定することを特徴とする請求項７または８に記載のモバイル端末。
【請求項１０】
ＵＩ画面を通じて前記送信設定の入力を受け付けるインターフェイス手段をさらに有し、
前記決定手段は、前記インターフェイス手段で入力を受け付けたメールアドレスを、前記返信先として用いられるメールアドレスとして決定することを特徴とする請求項７または８に記載のモバイル端末。
【請求項１１】
前記送信手段は、前記インターフェイス手段で入力の完了の指示を受け付けた場合、前記モバイル端末と無線通信を確立し、無線通信を通じて前記送信設定情報を送信することを特徴とする請求項１０に記載のモバイル端末。
【請求項１２】
モバイル端末と連携する情報処理装置における制御方法であって、
返信先のメールアドレスを含む、前記情報処理装置で実行されるメール送信処理の送信設定を示す送信設定情報を前記モバイル端末から受信する受信ステップと、
前記送信設定に含まれる前記返信先のメールアドレスを、前記メール送信処理の返信先に設定する設定ステップと、
を有することを特徴とする情報処理装置の制御方法。
【請求項１３】
情報処理装置で実行されるメール送信処理の送信設定を示す送信設定情報を送信するモバイル端末における制御方法であって、
前記情報処理装置で実行されるメール送信処理において返信先として用いられるメールアドレスを決定する決定ステップと、
前記決定ステップにおいて決定されたメールアドレスを返信先として用いられるメールアドレスとして前記送信設定情報に含めて送信する送信ステップと
を有することを特徴とするモバイル端末の制御方法。
【請求項１４】
コンピュータを、請求項１から６のいずれか一項に記載の情報処理装置の各手段として機能させるためのプログラム。
【請求項１５】
コンピュータを、請求項７から１１のいずれか一項に記載のモバイル端末の各手段として機能させるためのプログラム。
【発明の詳細な説明】
【技術分野】
【０００１】
本発明は、情報処理装置とモバイル端末とを連携させる技術に関する。
【背景技術】
【０００２】
近年、ＢＹＯＤ（Bring your own device）制度を導入する、もしくはＭＤＭ（Mobile Device Management）環境を整えるなど、モバイル端末をビジネスの場で利用しようとする企業が増えている。これは、モバイル端末の高機能化が進んでいることや、普段から使い慣れたモバイル端末をビジネスで利用することで業務効率を向上させる効果が期待できることに起因している。
【０００３】
この動きに伴い、ＭＦＰ（Multifunction Peripheral）とモバイル端末とを連携させる機能が登場している。例えば、特許文献１では、次の技術が開示されている。すなわち、ＭＦＰに対してモバイル端末に記憶されているアクセス情報（例えばメールアドレスなど）が送信されると、ＭＦＰはアクセス情報をＭＦＰのジョブの通信先（例えばＥメール送信の送信先）として用いて通信を開始する技術が開示されている。
【先行技術文献】
【特許文献】
【０００４】
【特許文献１】特開２００３−３１９０９３号公報
【発明の概要】
【発明が解決しようとする課題】
【０００５】
しかしながら、例えばＭＦＰからＥメール（以下、単にメールと呼ぶ）を送信するシーンにおいては特許文献１の技術では不便である。なぜならば、ＭＦＰとモバイル端末とを連携させる場合、ユーザは普段から使い慣れたモバイル端末にＭＦＰから送信したメールの返信して欲しいと希望する場合がある。特許文献１の技術では、ＭＦＰからメールを送信するシーンにおいては、ＭＦＰのメールの送信先はモバイル端末から送信されたメールアドレスで設定することができるが、返信先のメールアドレスは設定できない。そのため、ユーザはモバイル端末に表示されるメールアドレスを見ながら、ＭＦＰの操作部を介して返信先の設定を行う必要がある。これではユーザの操作負担が大きく、使い勝手が良くない。
【課題を解決するための手段】
【０００６】
本発明にかかる情報処理装置は、モバイル端末と連携する情報処理装置であって、返信先のメールアドレスを含む、前記情報処理装置で実行されるメール送信処理の送信設定を示す送信設定情報を前記モバイル端末から受信する受信手段と、前記送信設定に含まれる前記返信先のメールアドレスを、前記メール送信処理の返信先に設定する設定手段と、を有することを特徴とする。
【発明の効果】
【０００７】
本発明によれば、ＭＦＰにおいてメール送信処理を行なう際の返信先のメールアドレスを、モバイル端末から設定することが可能となる。
【図面の簡単な説明】
【０００８】
【図１】実施形態にかかるモバイル端末とＭＦＰとを含むシステム構成を示す図である。
【図２】実施形態にかかるＭＦＰの構成を示すブロック図である。
【図３】実施形態にかかるモバイル端末の構成を示すブロック図である。
【図４】実施形態にかかるモバイル端末における、メール送信設定を行う画面を示す図である。
【図５】実施形態にかかるＭＦＰにおける、送信画面を示す図である。
【図６】実施形態にかかるＭＦＰにおける送信画面において、返信先が設定された画面を示す図である。
【図７】実施形態にかかるモバイル端末で送信設定情報を送信する処理を示すフローチャートである。
【図８】実施形態にかかるＭＦＰにおける送信設定情報を受信する処理を示すフローチャートである。
【発明を実施するための形態】
【０００９】
以下、本発明を実施するための形態について図面を用いて説明する。
【００１０】
（実施形態１）
図１は本実施形態において適用されるシステム構成の一例を示す図である。本実施形態におけるシステムは、モバイル端末１０１、ＭＦＰ１０２、およびアクセスポイント１０３を有する。モバイル端末１０１、ＭＦＰ１０２、およびアクセスポイント１０３はそれぞれ対応する通信媒体を通じて通信ができる。もちろん、図１に示した構成は一般的な構成の一例を示したに過ぎない。そのため、一般ユーザが使用するモバイル端末は、その他の情報機器であってもよい。また、ＭＦＰは、装置の有する機能によって得たデータをメール送信するメール送信機能を有する情報処理装置であればよい。なお、メール送信機能とは、例えば原稿を読み取ることで得られた原稿画像をメールに添付して送信する機能である。以下では、メール送信機能を用いてメールを送信するジョブのことをメール送信ジョブと呼ぶ。
【００１１】
図２は、本実施形態におけるＭＦＰ１０２の内部構成の一例を示した図である。ＭＦＰ１０２は、ＲＯＭ２０２あるいは例えばハードディスク２１３に記憶されたソフトウェアを実行するＣＰＵ２０１を備え、ＣＰＵ２０１はシステムバス２１６に接続される各デバイスを総括的に制御する。なお、ＨＤＤ２１３は、場合によっては画像の一時記憶場所としても使われることがある。
【００１２】
ＲＡＭ２０３は、ＣＰＵ２０１の主メモリ、ワークエリア等として機能する。操作部コントローラー２０８は、ＭＦＰに備えられた各種ボタンあるいは操作パネル２０９、ディスプレイ２１１等のユーザインターフェイスを制御する。ディスクコントローラ２１２は、ＨＤＤ２１３を制御する。
【００１３】
ネットワークＩ／Ｆ２０７は、ネットワーク２２０を介して、他のネットワーク機器あるいはファイルサーバ等と双方向にデータをやりとりする。
【００１４】
無線通信モジュール２０６は、インフラモードで動作する場合は、アクセスポイント１０３を介して、ネットワーク２２０に接続し、モバイル端末１０１などの他のネットワーク機器あるいはファイルサーバ等と双方向にデータをやりとりする。ソフトＡＰ（アクセスポイント）モードで動作する場合は、ＭＦＰはアクセスポイントとして動作し、モバイル端末とＷｉ−Ｆｉダイレクト接続をすることができる構成でもよい。
【００１５】
プリンター２１４は、電子写真方式で実現される紙への印字部である。印字方式は、電子写真方式であってもよいし、インクジェット方式でもよいし、その他いずれの方式であってもよい。
【００１６】
スキャナ２１５は、紙に印字された画像を読み込むための画像読み取り部である。多くの場合、スキャナ２１５にはオプションとしてＡＤＦ（オートドキュメントフィーダ）（不図示）が装着されており、複数枚の原稿を自動的に読み込むことができる。
【００１７】
ＭＦＰ１０２はまた、ＮＦＣリーダライタ２０４や、Ｂｌｕｅｔｏｏｔｈ（登録商標）Ｉ／Ｆ２０５を介してモバイル端末１０１を含む各種周辺機器とデータの授受を行うことができる。
【００１８】
次に図３を用いて、モバイル端末１０１のハードウェア構成を説明する。なお、本実施形態のモバイル端末１０１はスマートフォンやタブレットＰＣ等の端末装置を想定しているが、これに限られるものではなく、他の装置と通信する機能を有する情報処理装置であればいずれの形態であってもよい。
【００１９】
ＣＰＵ３０７はＲＯＭ３０８が記憶している制御プログラムを読み出して、モバイル端末１０１の動作を制御するための様々な処理を実行する。ＲＯＭ３０８は、制御プログラムを記憶している。ＲＡＭ３０９は、ＣＰＵ３０７の主メモリ、ワークエリア等の一時記憶領域として用いられる。ＨＤＤ３１０は、写真や電子文書等の様々なデータを記憶する。
【００２０】
操作パネル３０１は、ユーザのタッチ操作を検出可能なタッチパネル機能を備え、ＯＳやメール送信アプリケーションが提供する各種画面を表示するユーザインターフェイスである。ユーザは操作パネル３０１にタッチ操作を入力することで、モバイル端末１０１に所望の操作指示を入力することができる。なお、モバイル端末１０１は不図示のハードウェアキーを備えていてもよく、ユーザはこのハードウェアキーを用いてモバイル端末１０１に操作指示を入力してもよい。
【００２１】
スピーカー３０２とマイク３０３は、ユーザが他のモバイル端末や固定電話と電話をする際に使用される。カメラ３０４はユーザの撮像指示に応じて撮像する。カメラ３０４で撮像された写真は、ＨＤＤ３１０の所定の領域に記憶される。
【００２２】
モバイル端末１０１はＮＦＣ通信Ｉ／Ｆ３０５、Ｂｌｕｅｔｏｏｔｈ（登録商標）Ｉ／Ｆ３０６、無線ＬＡＮ通信Ｉ／Ｆ３１１を介してＭＦＰ１０２を含む各種周辺機器とデータの授受を行うことができる。
【００２３】
次に、モバイル端末１０１とＭＦＰ１０２との連携について説明する。本実施形態においてモバイル端末１０１は、ＭＦＰ１０２との間で無線通信を行なうことで情報のやり取りを行なう。すなわち、モバイル端末１０１は、ＭＦＰ１０２に対して無線通信を用いてメールの送信設定を示す送信設定情報を送信する。モバイル端末１０１が通信相手となるＭＦＰ１０２を無線ネットワーク上で特定することを、以下ではペアリングを呼ぶ。ペアリングを行なうためには、モバイル端末１０１は所望のＭＦＰ１０２のＷｉ−Ｆｉ接続情報を取得する必要がある場合がある。Ｗｉ−Ｆｉ接続情報とは、例えばＷｉ−Ｆｉダイレクト接続の場合には、ＭＦＰ１０２がソフトアクセスポイントとして動作しているＳＳＩＤと、そのＳＳＩＤで特定されるネットワークに接続するためのＫＥＹとの情報が必要となる。インフラモード接続の場合には、モバイル端末１０１とＭＦＰ１０２とは同じアクセスポイント内のネットワークに接続しているので、例えばＭＦＰ１０２のＩＰアドレスが必要となる。このようなペアリングを行なう際に必要な情報を、モバイル端末１０１がＭＦＰ１０２から取得する際の取得方法は複数ある。例えば、例えばＭＦＰ１０２に表示された二次元コードからモバイル端末１０１がＷｉ−Ｆｉ接続情報を取得してもよいし、ＭＦＰ１０２のＮＦＣＩ／Ｆ３０５にモバイル端末１０１をタッチさせ、ＮＦＣ通信によりＷｉ−Ｆｉ接続情報を取得してもよい。あるいは、モバイル端末１０１はＭＦＰ１０２のＢｌｕｅｔｏｏｔｈ  Ｉ／ＦとＢＬＥ（Ｂｌｕｅｔｏｏｔｈ  Ｌｏｗ  Ｅｎｅｒｇｙ）通信を行いＷｉ−Ｆｉ接続情報を取得してもよい。さらに、既にモバイル端末１０１がＷｉ−Ｆｉ接続済みでペアリングがされているＭＦＰ１０２に対しては、二次元コード等の操作を行わず，そのまま宛先等のデータ送信を行うこともできる。
【００２４】
モバイル端末１０１は、このようにペアリングがされた、あるいはこれからペアリングがされるＭＦＰ１０２に対してメール送信の宛先、返信先などを含む送信設定を登録することができる。すなわち、モバイル端末１０１から送信設定を示す送信設定情報をＭＦＰ１０２に無線通信を介して送信し、これを受けたＭＦＰ１０２は、受信した情報を用いてメール送信ジョブで用いる宛先、返信先などに送信設定を反映する処理を行なう。
【００２５】
次に図４を用いて、モバイル端末１０１で行なう、ＭＦＰ１０２のメール送信ジョブの送信設定に用いられるメール送信の設定項目に関して説明する。図４は、モバイル端末のＵＩ画面の一例を示す図である。
【００２６】
ユーザは、モバイル端末１０１のメール送信の設定画面４０６を用いて、ＭＦＰ１０２で実行されるメール送信処理に必要な情報を入力する。ユーザは、メールアドレスフィールド４０１と返信先メールアドレスフィールド４０７に、モバイル端末１０１に保存されているアドレス帳の中のアドレスを選択して入力する事ができる。またメールアドレスフィールド４０１、件名フィールド４０２、本文フィールド４０３、ファイル名フィールド４０４、返信先メールアドレスフィールド４０７は、モバイル端末のソフトキーボードで、ユーザが任意の文字列を入力可能である。これらフィールドはソフトキーボードだけでなく、音声認識等での入力であってもよい。また、返信先メールアドレスフィールド４０７には、モバイル端末１０１に設定してあるユーザのメールアドレスをデフォルトで表示するようになっていても良い。また、複数のメールアドレスがモバイル端末１０１に設定されている場合、いずれかを選択できるようになっていても良い。また、返信先のメールアドレスは必ずしもモバイル端末１０１で設定されているユーザのメールアドレスである必要はなく、任意の返信先のメールアドレスを設定することができる。
【００２７】
完了ボタン４０５を押下すると、各項目が決定されてメール送信設定が完了し、モバイル端末１０１からＭＦＰ１０２にメールの送信設定を示す設定情報が送信される。なお、モバイル端末１０１からＭＦＰ１０２に送信されるタイミングは、完了ボタン４０５の押下を操作パネル３０１が検知して直ちに送信される場合もある。あるいは、前述のように、ＭＦＰ１０２とのペアリングを行なってから送信設定が送信される場合もある。なお、押下とは物理的なボタンを押下することのほかに、タッチパネル画面に対するタッチも含むものである。以下、本明細書において同様とする。
【００２８】
次にＭＦＰ１０２の画面に関して、図５を用いて説明する。図５は、ＭＦＰ１０２のＵＩ画面の一例を示す図である。ＭＰＦは複数の機能を実行することが可能である。ここでは、前述のメール送信ジョブを実行する際に用いられる送信画面５０１を示している。前述のようにメール送信ジョブは、スキャナで読み取った原稿の原稿画像をメールで所望の宛先にＭＦＰ１０２が送信するジョブである。図５の送信画面５０１は、ユーザによって宛先の設定とスキャンの設定などが行われる画面である。
【００２９】
宛先リスト５０２は、送信先に設定された宛先をリストで表示する。宛先は、Ｅメール、ＦＡＸ、サーバ等のアドレスである。図５で示す宛先リスト５０２は、送信先が未設定の状態を示す。スキャン設定ボタン５０３は、スキャン設定を変更する事ができる。詳細情報ボタン５０５を押下すると、選択中の宛先の詳細情報を表示する画面に遷移する。宛先削除ボタン５０６を押下すると、選択中の宛先を削除するボタンである。その他の設定ボタン５０７を押下すると、送信の内容変更のメニュー一覧の画面（不図示）を表示する。例えば、メール本文などの編集もその他の設定ボタン５０７を押下した画面で行なうことができる。また、返信先のメールアドレスもその他の設定ボタン５０７を押下した画面でＭＦＰ１０２の操作パネル２０９を介して行うことも可能である。
【００３０】
宛先の指定ボタン５０９を押下すると、ＭＦＰ１０２のアドレス帳などから宛先を設定することが可能である。なお、ＭＦＰ１０２は共用される形態が多く、アドレス帳には他のユーザが使用するアドレスも含まれており、ＭＦＰ１０２のアドレス帳から宛先を設定することは手間になる場合がある。また、ＭＦＰ１０２のディスプレイ２１１は通常小さい画面であり操作パネル２０９の操作性もＰＣなどに比べて使いにくい場合があり、ＭＦＰ１０２に直接宛先のメールアドレスを入力するのも手間になる場合がある。そこで、本実施形態ではＭＦＰ１０２とモバイル端末１０１とを連携させ、モバイル端末１０１からの送信設定をＭＦＰ１０２に適用する。モバイルから宛先指定ボタン５０８を押下すると、メール送信設定情報の受信画面に遷移し、モバイル端末とペアリングを行なうための待機状態になる（不図示）。この待機状態においてモバイル端末とペアリングを行い、モバイル端末からメールの送信設定を受信すると、受信した送信設定がメール送信ジョブに反映されることになる。例えば、宛先、件名、本文、添付ファイルのファイル名、返信先などの送信設定がＭＦＰ１０２のメール送信ジョブに反映される。従って、上記の宛先リスト５０２やその他の設定ボタン５０７を押下して表示されるメール本文などは送信設定を受信すると、受信した内容が反映されることになる。
【００３１】
次にＭＦＰ１０２の送信画面において、返信先が設定された画面に関して、図６を用いて説明する。返信先設定画面６１１は、ユーザがＭＦＰ１０２の操作パネル２０９を介して、メール送信ジョブの返信先（Ｒｅｐｌｙ−Ｔｏ）を設定する画面である。返信先設定画面６１１は、前述のように図５におけるその他の機能ボタン５０７を押下した際に表示される送信の内容変更のメニュー一覧の画面に存在する返信先の設定内容変更ボタンを押下することで、ＭＦＰ１０２の操作パネル２０９に表示される。
【００３２】
ＯＫボタン６１２を押下すると、返信先入力フィールド６１４に設定した返信先メールアドレスがメール送信ジョブの返信先として設定される。設定取消ボタン６１３が押下されると、返信先入力フィールド６１４にメールアドレスが設定されていてもメール送信ジョブの返信先に何も設定しない。
【００３３】
返信先入力フィールド６１４を押下すると、ＭＦＰ１０２に登録されているアドレス帳が開き、メールアドレスの設定が可能になる。また、ＭＦＰ１０２の操作パネル２０９に表示されるソフトキーボードにより、アドレス帳に登録されていないメールアドレスも設定可能である。
【００３４】
モバイル端末１０１より返信先を含む送信設定を受信した場合、返信先設定画面６１１内の返信先入力フィールド６１４にモバイル端末１０１で設定したメールアドレスが反映される。なお、ユーザは、モバイル端末１０１から返信先の設定を送信した後であっても、再度モバイル端末１０１から返信先の設定を送信し直すことや、ＭＦＰ１０２の操作パネル２０９から返信先の設定を修正することが可能である。
【００３５】
次に、本実施形態におけるユーザから見たユースケースの一例を説明する。ユーザはＭＦＰ１０２とモバイル端末１０１とを両方とも利用可能なエリアに位置している。なお、モバイル端末１０１とＭＦＰ１０２とは無線通信を確立していない状態（ペアリングができていない状態）であるものとする。
【００３６】
まず、ユーザは、ＭＦＰ１０２のメール送信ジョブを設定する操作画面を表示し、必要な設定を適宜行なう。そして、ユーザは、モバイルから宛先指定ボタン５０８を押下する。ＭＦＰ１０２は、モバイルかた宛先指定ボタン５０８の押下に応じて、モバイル端末１０１とペアリングを行なうための準備をする。例えば、ＮＦＣを用いてペアリングを行なう場合、ＭＦＰ１０２は、モバイルから宛先指定ボタン５０８の押下に応じてＭＦＰ１０２との無線通信に必要な情報をＮＦＣタグに書き込む。
【００３７】
一方、ユーザはモバイル端末１０１のＭＦＰ１０２のメール送信ジョブに対応するアプリケーションをモバイル端末１０１上で起動する。そして、図４に示すようなデータの入力が完了すると完了ボタン４０５を押下する。その後、ユーザはモバイル端末１０１のＮＦＣＩ／Ｆ３０５をＭＦＰ１０２のリーダライタ２０４にタッチすることで、ＭＦＰ１０２のＮＦＣタグに書き込まれた無線通信に必要な情報がモバイル端末１０１で取得されることになる。モバイル端末１０１は取得した情報を用いてＭＦＰ１０２との無線通信を確立して、図４に示すようなユーザによって入力された送信設定をＭＦＰ１０２に送信する。これを受けて、ＭＦＰ１０２は送信設定を反映する処理を行なう。
【００３８】
なお、上記の例では、ユーザはＭＦＰ１０２を先に操作する例を説明したが、これに限られず、ユーザはモバイル端末１０１の入力を先に行なった後で、ＭＦＰ１０２の操作をしてもよい。また、ペアリングの例はこれに限られるものではない。さらには、ＭＦＰ１０２とモバイル端末１０１とがアクセスポイント１０３を介したインフラモードで接続されており、通信相手のＭＦＰ１０２をネットワーク上で特定できているような場合もある。このような場合には、上記のＮＥＣ通信を行うことなく、送信設定がモバイル端末１０１からＭＦＰ１０２に送信される形態であってもよい。
【００３９】
図７は、モバイル端末１０１においてＭＦＰ１０２で実行されるメール送信ジョブで用いられる送信設定の入力と、入力した送信設定をＭＦＰ１０２に無線通信を用いて送信する処理の流れについて説明するフローチャートである。図７の動作は、モバイル端末１０１内部のＣＰＵ３０７が制御プログラムを実行することによって実現される。図７の例では、ペアリングに必要な情報をモバイル端末１０１がＭＦＰ１０２から取得する形態を示している。
【００４０】
図７の処理は、図４に示すモバイル端末１０１の操作画面４０６が表示されている場合の処理を示す。ステップ７０１においてモバイル端末１０１のＣＰＵ３０７は、操作画面４０６においてユーザからの送信設定の入力を受け付ける。ユーザは、アドレス帳から宛先を選択したり、ソフトウェアキーボードを用いて本文を入力するなどを行なう。また、ユーザは、ソフトウェアキーボードなどを用いて返信先のメールアドレスを入力したり、あるいはモバイル端末１０１に設定されている自身のメールアドレスがデフォルトで返信先として入力されているものを確認したりする。ステップＳ７０１は、このようなユーザからの送信設定の各項目の入力を受け付ける処理である。
【００４１】
ステップＳ７０２においてＣＰＵ３０７は、ユーザからの完了ボタン５０５を押下を受け付ける。すると、モバイル端末１０１は近距離無線通信待機状態になる。本実施形態においては、モバイル端末１０１はＭＦＰ１０２と無線通信を行なうために必要な情報をＮＦＣを用いた通信で取得する。なお、ここで、ＭＦＰ１０２はアクセスポイントモードで動作するものとし、前述のように無線通信に必要な情報、具体的には、ネットワーク名（ＳＳＩＤ）とパスワードとをＭＦＰ１０２のＮＦＣタグに用意しているとする。
【００４２】
ステップＳ７０３でＣＰＵ３０７は、ユーザによるＮＦＣＩ／Ｆ３０５におけるＮＦＣのタッチを検出する。すなわちユーザがモバイル端末１０１をＭＦＰ１０２のＮＦＣリーダライタ２０４にタッチすると、モバイル端末１０１はＭＦＰ１０２と近距離無線通信を行う。
【００４３】
ステップＳ７０４においてＣＰＵ３０７はＮＦＣＩ／Ｆ３０５を介してＭＦＰ１０２のＮＦＣタグに格納されている情報を読み取る。そして、読み取った情報を用いてＭＦＰ１０２と無線通信を開始する。具体的には、ＣＰＵ３０７は、ＭＦＰ１０２のＮＦＣタグから、ＭＦＰ１０２との無線通信に用いるＳＳＩＤとパスワードとを取得する。そして、ＣＰＵ３０７は、取得したＳＳＩＤとパスワードとを用いてＭＦＰ１０２との無線通信を確立する。
【００４４】
次に、ステップＳ７０５においてＣＰＵ３０７は、ステップＳ７０１で入力を受け付けた送信設定を示す送信設定情報をＭＦＰ１０２に送信する。
【００４５】
ステップＳ７０６においてＣＰＵ３０７は、ＮＦＣから読み取った接続情報をステップＳ７０４で通信したＭＦＰ１０２に紐付けてＲＯＭ３０８に保存する。なお、近距離無線通信を開始するためのトリガーは、ＮＦＣのほかに、２次元コード、ＢｌｕｅＴｏｏｔｈなどもあり、またこれらに限らない。
【００４６】
次に、ＭＦＰ１０２側の処理を図８を用いて説明する。図８は、ＭＦＰ１０２においてメール送信機能を実現するアプリケーションを実行して、図５に示すような画面が表示されている状態における処理を示す図である。図８の動作は、ＭＦＰ１０２内部のＣＰＵ２０１がメール送信機能を実現するアプリケーションの制御プログラムを実行することによって実現される。
【００４７】
ステップＳ８０１においてＣＰＵ２０１は、ユーザがモバイルから宛先指定ボタン５０８を押下したことを検知する。次に、ステップＳ８０１においてＣＰＵ２０１は、ＭＦＰ１０２のＮＦＣリーダライタ２０４を起動してＭＦＰのＮＦＣタグにＭＦＰ１０２と無線通信するために必要な情報を書き込む。その後、ステップＳ８０３においてＣＰＵ２０１は、モバイル端末１０１との無線通信を確立してモバイル端末１０１から送信設定を受信する。ステップＳ８０４においてＣＰＵ２０１は、ステップＳ８０３で受信した送信設定をメール送信ジョブに反映する。
【００４８】
以上の説明の通り、本実施形態によれば、モバイル端末からメールの送信設定をＭＦＰのメール送信ジョブの設定としてＭＦＰに流し込むシーンにおいて、ＭＦＰから送信されるメールの返信先をモバイル端末から設定することができる。この結果、例えば、モバイル端末のメールアドレスを簡単に設定可能となる。
【００４９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2017108338.tif 000003
【図２】
2017108338.tif 000004
【図３】
2017108338.tif 000005
【図４】
2017108338.tif 000006
【図５】
2017108338.tif 000007
【図６】
2017108338.tif 000008
【図７】
2017108338.tif 000009
【図８】
2017108338.tif 000010